(57)【要約】【課題】表示品位の劣化を抑制することが可能な表示装置を提供する。【解決手段】入射光を透過又は反射させる光学素子と、前記光学素子で反射された反射光を再帰反射する凹凸状の第１再帰反射面と、前記光学素子で反射された反射光を正反射する第１正反射面と、を有する第１反射素子と、前記第１正反射面で反射された反射光を再帰反射する凹凸状の第２再帰反射面を有する第２反射素子と、を備えている表示装置。【選択図】図１
2017151214.tif 000002
【特許請求の範囲】
【請求項１】
入射光を透過又は反射させる光学素子と、
前記光学素子で反射された反射光を再帰反射する凹凸状の第１再帰反射面と、前記光学素子で反射された反射光を正反射する第１正反射面と、を有する第１反射素子と、
前記第１正反射面で反射された反射光を再帰反射する凹凸状の第２再帰反射面を有する第２反射素子と、を備えている表示装置。
【請求項２】
前記光学素子は、
第１直線偏光を透過する透過軸を有し、前記透過軸に直交する第２直線偏光を反射する偏光素子と、
前記偏光素子に対向し、透過光に位相差を付与する位相差板と、を備えている、請求項１に記載の表示装置。
【請求項３】
さらに、第１円偏光である第１表示光及び第２表示光を出射する表示部を備え、
前記第１表示光は、前記位相差板を透過した際に前記第２直線偏光に変換され、前記偏光素子で反射され、前記位相差板を透過する際に前記第１円偏光とは逆回りの第２円偏光に変換され、前記第１正反射面で反射され、前記第２再帰反射面で反射され、前記第１正反射面で反射され、前記位相差板を透過する際に前記第１直線偏光に変換された後に、前記偏光素子を透過し、
前記第２表示光は、前記位相差板を透過する際に前記第２直線偏光に変換され、前記偏光素子で反射され、前記位相差板を透過する際に前記第２円偏光に変換され、前記第１再帰反射面で反射され、前記位相差板を透過する際に前記第１直線偏光に変換された後に、前記偏光素子を透過する、請求項２に記載の表示装置。
【請求項４】
前記第１再帰反射面、及び前記第１正反射面は、金属薄膜を備えている、請求項１乃至３のいずれか１項に記載の表示装置。
【請求項５】
前記第１正反射面は、前記第１再帰反射面の頂部同士を結ぶ平面に形成されている、請求項１乃至４のいずれか１項に記載の表示装置。
【請求項６】
前記第１正反射面は、格子状に配置されている、請求項１乃至５のいずれか１項に記載の表示装置。
【請求項７】
入射光の一部を透過及び反射させる光学素子と、
前記光学素子で反射された反射光を再帰反射する凹凸状の再帰反射面と、前記光学素子で反射された反射光を正反射する正反射面と、を有する反射素子と、を備え、
前記反射素子が前記光学素子に対して成す角度は、鋭角である表示装置。
【発明の詳細な説明】
【技術分野】
【０００１】
本発明の実施形態は、表示装置に関する。
【背景技術】
【０００２】
結像装置として、例えば、反射型の偏光フィルタと再帰反射プリズムとを備え、表示画像を偏光フィルタで反射させた後に再帰反射プリズムで反射させて偏光フィルタを透過させて結像させる構成が提案されている。ところで、再帰反射プリズムの反射面に相当するレトロリフレクタアレイが不連続な領域を有する場合、その不連続な領域に入射した光は再帰反射されず、結果として表示画像が不連続になってしまう恐れがある。
【先行技術文献】
【特許文献】
【０００３】
【特許文献１】特開２０１１−２５３１２８号公報
【発明の概要】
【発明が解決しようとする課題】
【０００４】
本実施形態の目的は、表示品位の劣化を抑制することが可能な表示装置を提供することにある。
【課題を解決するための手段】
【０００５】
本実施形態によれば、
入射光を透過又は反射させる光学素子と、前記光学素子で反射された反射光を再帰反射する凹凸状の第１再帰反射面と、前記光学素子で反射された反射光を正反射する第１正反射面と、を有する第１反射素子と、前記第１正反射面で反射された反射光を再帰反射する凹凸状の第２再帰反射面を有する第２反射素子と、を備えている表示装置が提供される。
【０００６】
本実施形態によれば、
入射光の一部を透過及び反射させる光学素子と、前記光学素子で反射された反射光を再帰反射する凹凸状の再帰反射面と、前記光学素子で反射された反射光を正反射する正反射面と、を有する反射素子と、を備え、前記反射素子が前記光学素子に対して成す角度は、鋭角である表示装置が提供される。
【図面の簡単な説明】
【０００７】
【図１】図１は、第１の実施形態に係る表示装置１の一構成例、及び表示光Ｌ１の光路を示す図である。
【図２】図２は、図１に示した表示装置１における表示光Ｌ２の光路を示す図である。
【図３】図３は、図１に示した反射素子２０及び３０の一構成例を示す図である。
【図４】図４は、図１に示した表示パネルＰＮＬの一構成例を示す図である。
【図５】図５は、図４に示した表示パネルＰＮＬの一構成例を示す断面図である。
【図６】図６は、図１に示した反射素子２０の一構成例を示す平面図である。
【図７】図７は、図６に示した再帰反射体２３の一構成例を示す斜視図である。
【図８】図８は、図６に示したＡ−Ｂ線で切断した反射素子２０の構造を示す断面図である。
【図９】図９は、図６に示したＣ−Ｄ線で切断した反射素子２０の構造を示す断面図である。
【図１０】図１０は、表示装置１を構成する各構成の機能を説明するための図である。
【図１１】図１１は、図３に示した反射素子２０及び３０の一変形例を示す図である。
【図１２】図１２は、図３に示した反射素子２０及び３０の一変形例を示す図である。
【図１３】図１３は、図９に示した反射素子２０の構造の一変形例を示す断面図である。
【図１４】図１４は、図９に示した反射素子２０の構造の一変形例を示す断面図である。
【図１５】図１５は、図１に示した表示装置１の一変形例を示す図である。
【図１６】図１６は、図１に示した表示装置１の一変形例を示す図である。
【図１７】図１７は、第２の実施形態に係る表示装置１の一構成例、及び表示光Ｌ１の光路を示す図である。
【図１８】図１８は、図１７に示した表示装置１における表示光Ｌ２の光路を示す図である。
【発明を実施するための形態】
【０００８】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００９】
図１は、第１の実施形態に係る表示装置１の一構成例、及び表示光Ｌ１の光路を示す図である。
【００１０】
表示装置１は、表示部ＤＳＰ、光学素子１０、反射素子２０、反射素子３０などを備えている。表示部ＤＳＰは、第１方向Ｄ１で反射素子２０と対向し、光学素子１０は、第２方向Ｄ２で反射素子３０と対向している。なお、第２方向Ｄ２は、第１方向Ｄ１と交差する方向であり、図示した例では、第１方向Ｄ１と直交しているが、第１方向Ｄ１及び第２方向Ｄ２は９０度以外の角度で交差していてもよい。
【００１１】
表示部ＤＳＰは、円偏光である表示光を出射するものであれば、その構成は特に限定されるものではない。図示した例では、表示部ＤＳＰは、表示パネルＰＮＬ及び位相差板ＲＢを備えている。表示パネルＰＮＬは、一例としては、一対の基板間に液晶層を保持した液晶表示パネルである。但し、表示パネルＰＮＬは、有機エレクトロルミネッセンス素子（ＯＬＥＤ）等を有する自発光型の表示パネル、電気泳動素子等を有する電子ペーパ型の表示パネル、マイクロエレクトロメカニカルシステム（ＭＥＭＳ）を適用した表示パネル、或いはエレクトロクロミズムを適用した表示パネルなどであってもよい。液晶表示パネルは、光源装置からの光を選択的に透過させることで画像を表示する透過型であってもよいし、外光あるいは光源装置からの光を選択的に反射させることで画像を表示させる反射型であってもよいし、透過型及び反射型の双方の表示機能を備えた半透過型であってもよい。
【００１２】
表示パネルＰＮＬは、表示画像Ｉ０を表す表示光Ｌ１を出射する。表示光Ｌ１は、例えば、表示パネルＰＮＬから出射された直後は直線偏光である。位相差板ＲＢは、表示パネルＰＮＬと略平行に対向している。位相差板ＲＢは、表示パネルＰＮＬの出射面側に接着されていてもよい。このような位相差板ＲＢは、例えば、透過光に約λ／４の位相差を付与するλ／４板である。ここで、λは、透過光（表示光Ｌ１）の波長である。詳細については省略するが、位相差板ＲＢは、その遅相軸が表示光Ｌ１の直線偏光の偏光面に対して４５°の角度で交差するように配置される。このような表示部ＤＳＰにおいては、表示パネルＰＮＬから出射された表示光Ｌ１（直線偏光）は、位相差板ＲＢを透過することで円偏光に変換され、表示部ＤＳＰから出射される。本実施形態における円偏光とは、楕円偏光も含む。
【００１３】
なお、表示部ＤＳＰにおいて、表示パネルＰＮＬからの出射光が円偏光である場合には、位相差板ＲＢは省略される。また、表示部ＤＳＰは、表示パネルに代えて、プロジェクタから出射された出射光が投影されるスクリーンを備えていてもよいし、照明装置によって照明される表示媒体（ポスターなど）を備えていてもよい。
【００１４】
光学素子１０は、入射光を透過又は反射させるものであれば、その構成は特に限定されるものではない。図示した例では、光学素子１０は、偏光素子ＰＬ及び位相差板ＲＡを備えている。偏光素子ＰＬは、第１直線偏光を透過する透過軸を有し、透過軸に直交する第２直線偏光を反射する。例えば、第１直線偏光は入射面に平行なＰ波であり、第２直線偏光は入射面に垂直なＳ波である。このような偏光素子ＰＬは、例えばワイヤグリッド偏光フィルタや、輝度上昇フィルムを適用した反射型偏光フィルムや、この反射型偏光フィルムと吸収型偏光板とを重ねた多層体などによって構成されている。吸収型偏光板とは、透過軸と平行な直線偏光を透過し、透過軸に直交する直線偏光を吸収する偏光板であり、例えば反射型偏光板よりも偏光度が高い。偏光素子ＰＬが上記の多層体によって構成される場合、吸収型偏光板は、反射型偏光フィルムの上（すなわち位相差板ＲＡと対向する側とは反対側）に配置され、しかも、反射型偏光フィルムの透過軸と平行な透過軸を有する。
【００１５】
位相差板ＲＡは、偏光素子ＰＬと略平行に対向している。位相差板ＲＡは、偏光素子ＰＬの表示部ＤＳＰ及び反射素子２０と対向する側に接着されていてもよい。このような位相差板ＲＡは、例えば、透過光に約λ／４の位相差を付与するλ／４板である。ここで、λは、透過光の波長である。位相差板ＲＡ及びＲＢは、位相差値や波長分散性が異なる複数の位相差
フィルムの積層体であってもよい。例えば、位相差板ＲＡ及びＲＢは、波長依存性を緩和するなどの目的で、λ／２板及びλ／４板を組み合わせて構成してもよい。詳細については省略するが、位相差板ＲＡは、その遅相軸が直線偏光の偏光面に対して４５°の角度で交差するように配置される。
【００１６】
反射素子２０は、位相差板ＲＡや表示部ＤＳＰと対向する側に、再帰反射面２０Ａ及び正反射面２０Ｂを有している。再帰反射面２０Ａは、凹凸状の表面を有し、入射光を再帰反射する。正反射面２０Ｂは、平坦な表面を有し、入射光を正反射する。図示した例では、正反射面２０Ｂは、複数の再帰反射面２０Ａの間に位置している。反射素子２０は、基材２１、及び、金属薄膜２２を備えている。基材２１は、例えば樹脂材料によって形成されている。基材２１の表面２１Ａは、再帰反射面２０Ａに対応する領域では凹凸であり、正反射面２０Ｂに対応する領域では平坦である。なお、図示した例では、反射素子２０の裏面２０Ｃ（図示した例では基材２１の裏面）は、平坦面である。金属薄膜２２は、例えば蒸着などによって形成され、基材２１の表面２１Ａを覆っている。金属薄膜２２は、ほぼ均一の膜厚を有している。金属薄膜２２は、例えば、銀（Ａｇ）、アルミニウム（Ａｌ）、アルミニウム合金などの光反射性を呈する材料によって形成されている。
【００１７】
このような金属薄膜２２は、再帰反射面２０Ａ及び正反射面２０Ｂを形成している。つまり、図示した例では、反射素子２０は、位相差板ＲＡや位相差板ＲＢなどの各種光学部材が配置される表示装置１の内側に凹凸面（再帰反射面２０Ａ）及び平坦面（正反射面２０Ｂ）を有し、表示装置１の外側に平坦面（裏面２０Ｃ）を有している。なお、金属薄膜２２は、その腐食を防止するための表面処理が施されてもよいし、シリコン窒化物（ＳｉＮ）などの無機系材料によってコーティングされてもよい。また、基材２１が光反射性を呈する材料によって形成されている場合には、基材２１の表面２１Ａが再帰反射面２０Ａ及び正反射面２０Ｂを形成していてもよい。再帰反射面２０Ａ及び正反射面２０Ｂにおける透過率はほぼゼロであり、再帰反射面２０Ａ及び正反射面２０Ｂに入射した入射光のほとんどは、反射素子２０の裏面２０Ｃに到達することはない。
【００１８】
反射素子３０は、光学素子１０及び反射素子２０と対向する側に、再帰反射面３０Ａを有している。再帰反射面３０Ａは、凹凸状の表面を有し、入射光を再帰反射する。図示した例では、反射素子３０は、基材３１と、基材３１の反射素子２０と対向する側に配置された金属薄膜３２と、を備えている。再帰反射面３０Ａは、基材３１の凹凸状の表面を覆う金属薄膜３２によって形成されている。図示した例では、反射素子３０は、表示装置１の内側に凹凸面（再帰反射面３０Ａ）を有し、表示装置１の外側に平坦面（裏面３０Ｃ）を有している。反射素子３０の基材３１及び金属薄膜３２は、反射素子２０の基材２１及び金属薄膜２２と同様の構成をとってもよい。
【００１９】
反射素子２０は、光学素子１０に対して、成す角度θ1で配置されている。角度θ１は、例えば、裏面２０Ｃと偏光素子ＰＬの表面とが成す角度に相当する。また、反射素子３０は、反射素子２０に対して、成す角度θ２で配置されている。角度θ２は、例えば、裏面３０Ｃと裏面２０Ｃとが成す角度である。角度θ１は、光学素子１０で反射された表示光が再帰反射面２０Ａ又は正反射面２０Ｂに入射する角度であればよく、特に限定されるものではない。また、角度θ２は、正反射面２０Ｂで反射された表示光が再帰反射面３０Ａに入射する角度であればよく、特に限定されるものではない。一例では、角度θ１及びθ２は、それぞれ約９０°である。但し、再帰反射面２０Ａにおける再帰反射の効率の観点から、角度θ１は、４５°以上１３５°以下に設定されることが望ましく、また、再帰反射面３０Ａにおける再帰反射の効率の観点から、角度θ２は、４５°以上１３５°以下に設定されることが望ましい。
【００２０】
表示部ＤＳＰから出射された表示光の挙動の一例として、表示光Ｌ１の光路について説明する。なお、表示画像Ｉ１は、表示画像Ｉ０の実像に相当し、光学素子１０について面対称の位置に結像される。表示画像Ｉ０を表示する表示光Ｌ１は、表示部ＤＳＰから出射され、光学素子１０に入射する。表示光Ｌ１は、光学素子１０で反射され、正反射面２０Ｂで反射された後、再帰反射面３０Ａへ入射する。表示光Ｌ１は、再帰反射面３０Ａで再帰反射され、再び正反射面２０Ｂで反射された後、光学素子１０を透過して、表示画像Ｉ１を結像する。
【００２１】
図２は、図１に示した表示装置１における表示光Ｌ２の光路を示す図である。  
ここでは、表示光Ｌ１とは異なる光路を辿る表示光Ｌ２を例に挙げて、表示部ＤＳＰから出射された表示光の挙動を説明する。
【００２２】
表示パネルＰＮＬは、表示画像Ｉ０を表示する表示光Ｌ２を出射する。表示光Ｌ２は、例えば、表示光Ｌ１と同じ位置から別の方向へ出射された表示光である。表示光Ｌ２も、表示光Ｌ１と同様に、表示パネルＰＮＬから出射された直後は直線偏光であり、位相差板ＲＢを透過して円偏光に変換される。表示光Ｌ２は、表示部ＤＳＰから出射され、光学素子１０で反射された後、再帰反射面２０Ａへ入射する。表示光Ｌ２は、再帰反射面２０Ａで再帰反射された後、光学素子１０を透過して、表示画像Ｉ１を結像する。
【００２３】
図３は、図１に示した反射素子２０及び３０の一構成例を示す図である。  
なお、第４方向Ｄ４は、第３方向Ｄ３と交差する方向であり、第５方向Ｄ５は、第３方向Ｄ３及び第４方向Ｄ４と交差する方向である。図示した例では、第３方向Ｄ３乃至第５方向Ｄ５は、互いに直交している。
【００２４】
反射素子２０は、第３方向Ｄ３及び第４方向Ｄ４によって規定されるＤ３−Ｄ４平面に平行に配置されている。反射素子３０は、第４方向Ｄ４及び第５方向Ｄ５によって規定されるＤ４−Ｄ５平面に平行に配置されている。反射素子３０は、再帰反射面３０Ａと同じ側に、正反射面３０Ｂを有している。
【００２５】
図示した例では、反射素子２０は、複数の正反射面２０Ｂ、及び複数の再帰反射面２０Ａを有している。例えば、各正反射面２０Ｂは、第３方向Ｄ３及び第４方向Ｄ４に平行に延在し、互いに直角に交差し、長方形又は正方形を規定する格子状に配置されている。各正反射面２０Ｂは、その延在方向を特に限定されるものではなく、互いに鈍角、又は鋭角に交差する方向に延在していてもよい。この時、正反射面２０Ｂは、例えば菱型や平行四辺形等の、長方形（正方形）とは異なる形状を規定する格子状に配置されていてもよい。各再帰反射面２０Ａは、正反射面２０Ｂに囲まれ、第３方向Ｄ３及び第４方向Ｄ４にマトリクス状に配置されている。
【００２６】
反射素子３０は、複数の正反射面３０Ｂ、及び複数の再帰反射面３０Ａを有している。各正反射面３０Ｂは、第４方向Ｄ４及び第５方向Ｄ５に平行に延在し、格子状に配置されている。各再帰反射面３０Ａは、正反射面３０Ｂに囲まれ、第４方向Ｄ４及び第５方向Ｄ５にマトリクス状に配置されている。
【００２７】
反射素子２０と３０とは、第４方向Ｄ４に延在する境界部ＢＤ１において互いに隣接している。図示した例では、境界部ＢＤ１において、再帰反射面２０Ａと３０Ａとは互いに隣接し、正反射面２０Ｂと３０Ｂとは互いに隣接している。反射素子２０及び３０のそれぞれの基材２１及び３１は、互いに連続しており、境界部ＢＤ１で屈曲している。このような構成の場合、反射素子２０及び３０は、それぞれ個別に形成することなく、一体に形成された１つの反射素子を境界部ＢＤ１で折り曲げることで形成することができる。なお、反射素子２０及び３０は、１つの反射素子を境界部ＢＤ１で湾曲させることで形成していてもよい。このとき、境界部ＢＤ１近傍では、再帰反射面２０Ａ及び３０Ａは、曲面となっている。
【００２８】
図４は、図１に示した表示パネルＰＮＬの一構成例を示す図である。  
ここでは、表示パネルＰＮＬの一例として、アクティブマトリクス駆動方式の透過型液晶表示パネルについて説明する。すなわち、表示パネルＰＮＬは、第１基板ＳＵＢ１と、第１基板ＳＵＢ１に対向した第２基板ＳＵＢ２と、第１基板ＳＵＢ１と第２基板ＳＵＢ２との間に保持された液晶層ＬＱと、を備えている。第１基板ＳＵＢ１と第２基板ＳＵＢ２とは、これらの間に所定のセルギャップを形成した状態で貼り合わせられている。表示パネルＰＮＬは、画像を表示する表示エリアＤＡを備えている。表示エリアＤＡは、マトリクス状に配置された複数のサブピクセルＰＸを有している。
【００２９】
表示エリアＤＡは、サブピクセルＰＸとして、例えば赤色を表示する赤画素ＰＸＲ、緑色を表示する緑画素ＰＸＧ、及び青色を表示する青画素ＰＸＢを有している。なお、表示エリアＤＡは、さらに、赤、緑、青とは異なる色のサブピクセル（例えば白色を表示する白画素）を有していてもよい。カラー表示を実現するための画素は、これらの複数の異なる色のサブピクセルＰＸによって構成されている。すなわち、ここでの画素とは、カラー画像を構成する最小単位である。図示した例では、画素は、赤画素ＰＸＲ、緑画素ＰＸＧ、及び、青画素ＰＸＢによって構成されている。
【００３０】
赤画素ＰＸＲは、赤色カラーフィルタを備え、光源装置からの白色光のうち主として赤色光を透過可能に構成されている。緑画素ＰＸＧは、緑色カラーフィルタを備え、光源装置からの白色光のうち主として緑色光を透過可能に構成されている。青画素ＰＸＢは、青色カラーフィルタを備え、光源装置からの白色光のうち主として青色光を透過可能に構成されている。なお、詳述しないが、カラーフィルタは、第１基板ＳＵＢ１に形成されていてもよいし、第２基板ＳＵＢ２に形成されていてもよい。
【００３１】
第１基板ＳＵＢ１は、第６方向Ｄ６に沿って延出した複数のゲート配線Ｇ、及び、第７方向Ｄ７に沿って延出しゲート配線Ｇと交差する複数のソース配線Ｓを備えている。各ゲート配線Ｇは、表示エリアＤＡの外側に引き出され、ゲートドライバＧＤに接続されている。各ソース配線Ｓは、表示エリアＤＡの外側に引き出され、ソースドライバＳＤに接続されている。これらのゲートドライバＧＤ及びソースドライバＳＤは、コントローラＣＮＴに接続されている。コントローラＣＮＴは、映像信号に基づいて制御信号を生成して、ゲートドライバＧＤ及びソースドライバＳＤを制御する。
【００３２】
各サブピクセルＰＸは、スイッチング素子ＳＷ、画素電極ＰＥ、共通電極ＣＥなどを備えている。スイッチング素子ＳＷは、ゲート配線Ｇ及びソース配線Ｓに電気的に接続されている。このようなスイッチング素子ＳＷは、例えば薄膜トランジスタによって構成されている。画素電極ＰＥは、スイッチング素子ＳＷに電気的に接続されている。共通電極ＣＥは、複数の画素電極ＰＥとそれぞれ対向している。
【００３３】
なお、表示パネルＰＮＬの詳細な構成については説明を省略するが、基板主面の法線に沿った縦電界を利用する表示モード、あるいは、基板主面の法線に対して斜め方向に傾斜した傾斜電界を利用する表示モードでは、画素電極ＰＥが第１基板ＳＵＢ１に備えられる一方で、共通電極ＣＥが第２基板ＳＵＢ２に備えられる。また、基板主面に沿った横電界を利用する表示モードでは、画素電極ＰＥ及び共通電極ＣＥの双方が第１基板ＳＵＢ１に備えられている。さらには、表示パネルＰＮＬは、上記の縦電界、横電界、及び、傾斜電界を適宜組み合わせて利用する表示モードに対応した構成を有していてもよい。なお、基板主面とは、第６方向Ｄ６及び第７方向Ｄ７によって規定される平面に相当する。
【００３４】
図５は、図４に示した表示パネルＰＮＬの一構成例を示す断面図である。  
ここでは、横電界を利用する表示モードの一つであるＦＦＳ（Ｆｒｉｎｇｅ  Ｆｉｅｌｄ  Ｓｗｉｔｃｈｉｎｇ）モードを適用した表示パネルＰＮＬの断面構造について簡単に説明する。
【００３５】
第１基板ＳＵＢ１は、第１絶縁基板１００、第１絶縁膜１１０、共通電極ＣＥ、第２絶縁膜１２０、画素電極ＰＥ１乃至ＰＥ３、第１配向膜ＡＬ１などを備えている。共通電極ＣＥは、赤画素ＰＸＲ、緑画素ＰＸＧ、及び、青画素ＰＸＢに亘って延在している。赤画素ＰＸＲの画素電極ＰＥ１、緑画素ＰＸＧの画素電極ＰＥ２、青画素ＰＸＢの画素電極ＰＥ３のそれぞれは、共通電極ＣＥと対向し、それぞれスリットＳＬＡを有している。図示した例では、共通電極ＣＥは第１絶縁膜１１０と第２絶縁膜１２０との間に位置し、画素電極ＰＥ１乃至ＰＥ３は第２絶縁膜１２０と第１配向膜ＡＬ１との間に位置している。なお、画素電極ＰＥ１乃至ＰＥ３が第１絶縁膜１１０と第２絶縁膜１２０との間に位置し、共通電極ＣＥが第２絶縁膜１２０と第１配向膜ＡＬ１との間に位置していてもよい。この場合、スリットＳＬＡは、共通電極ＣＥに形成される。
【００３６】
第２基板ＳＵＢ２は、第２絶縁基板２００、遮光層ＢＭ、カラーフィルタＣＦＲ、ＣＦＧ、ＣＦＢ、オーバーコート層ＯＣ、第２配向膜ＡＬ２などを備えている。カラーフィルタＣＦＲ、ＣＦＧ、ＣＦＢは、それぞれ液晶層ＬＱを挟んで画素電極ＰＥ１乃至ＰＥ３と対向している。カラーフィルタＣＦＲは赤色のカラーフィルタであり、カラーフィルタＣＦＧは緑色のカラーフィルタであり、カラーフィルタＣＦＢは青色のカラーフィルタである。なお、図示した例では、カラーフィルタＣＦＲ、ＣＦＧ、ＣＦＢは、第２基板ＳＵＢ２に形成されているが、第１基板ＳＵＢ１に形成されてもよい。
【００３７】
液晶層ＬＱは、第１配向膜ＡＬ１と第２配向膜ＡＬ２との間に封入されている。光源装置ＬＳは、第１基板ＳＵＢ１と対向している。光源装置ＬＳとしては、種々の形態が適用可能であるが、詳細な構造については説明を省略する。
【００３８】
第１偏光板ＰＬ１を含む第１光学素子ＯＤ１は、第１絶縁基板１００の外面に配置されている。第２偏光板ＰＬ２を含む第２光学素子ＯＤ２は、第２絶縁基板２００の外面に配置されている。例えば、第１偏光板ＰＬ１の第１吸収軸及び第２偏光板ＰＬ２の第２吸収軸は、直交している。
【００３９】
赤画素ＰＸＲ、緑画素ＰＸＧ、及び、青画素ＰＸＢによって構成された画素は、ピッチＰ１で配列されている。
【００４０】
図６は、図１に示した反射素子２０の一構成例を示す平面図である。  
ここでは、互いに直交する第３方向Ｄ３及び第４方向Ｄ４によって規定される平面での平面図を図示している。
【００４１】
反射素子２０は、複数の再帰反射体２３を備えている。図示した平面図においては、再帰反射体２３は、正三角形状に形成されている。また、再帰反射体２３は、その中心Ｏが紙面の奥に向かって窪み、図１に示した再帰反射面２０Ａを形成している。このような再帰反射体２３は、第３方向Ｄ３に配列されている。また、再帰反射体２３は、第４方向Ｄ４にピッチＰ２で配列されている。但し、第３方向Ｄ３及び第４方向Ｄ４にそれぞれ隣り合う再帰反射体２３は、互いに１８０度反転した形状を有している。
【００４２】
正反射面２０Ｂは、再帰反射体２３に隣接している。再帰反射体２３は、例えば、樹脂製の基材２１を金型成型することで作成される。大判の樹脂を加工する場合、複数の金型を配列して一括で金型成型することができるが、各金型の境界等には再帰反射体２３を形成することが難しい。この様な再帰反射体２３の形成されない領域には、正反射面２０Ｂを形成することができる。図示した例では、正反射面２０Ｂは、第４方向Ｄ４にピッチＰ３で形成され、第５方向Ｄ５に延在している。ピッチＰ３は、例えば、ピッチＰ２の２倍〜３倍程度の長さである。
【００４３】
表示画像Ｉ１の解像度は、再帰反射体２３のピッチＰ２に依存する。解像度の劣化を抑制するためには、ピッチＰ２は、図３に示した表示パネルＰＮＬにおける画素のピッチＰ１よりも小さいことが望ましい。
【００４４】
図７は、図６に示した再帰反射体２３の一構成例を示す斜視図である。  
ここでは、互いに直交するｘｙｚ座標系を適用して、再帰反射体２３の形状について説明する。
【００４５】
すなわち、再帰反射体２３は、ｘｙｚ座標系において、３つの反射面２３Ａ、２３Ｂ、２３Ｃを有している。これらの反射面２３Ａ乃至２３Ｃは、いずれも同一形状であり、直角二等辺三角形である。また、これらの反射面２３Ａ乃至２３Ｃは、互いに直交している。このような形状の反射面２３Ａ乃至２３Ｃを有する再帰反射体２３は、コーナーキューブ、あるいは、コーナーリフレクタなどと称される。
【００４６】
ｘ軸上の点Ａ（α，０，０）、ｙ軸上の点Ｂ（０，α，０）、ｚ軸上の点Ｃ（０，０，α）としたとき、反射面２３Ａは、ｘ−ｙ平面に形成され、原点Ｏ、点Ａ、及び、点Ｂによって規定される。反射面２３Ｂは、ｙ−ｚ平面に形成され、原点Ｏ、点Ｂ、及び、点Ｃによって規定される。反射面２３Ｃは、ｘ−ｚ平面に形成され、原点Ｏ、点Ａ、及び、点Ｃによって規定される。再帰反射体２３は、３つの点Ａ、点Ｂ、及び、点Ｃによって規定される平面を有していない。つまり、３つの反射面２３Ａ乃至２３Ｃによって囲まれた内側は空気層である。再帰反射体２３では、入射光が３つの反射面２３Ａ乃至２３Ｃでそれぞれ反射されることによって入射光とほぼ同一の光路に反射する再帰反射を実現している。
【００４７】
なお、再帰反射体２３の形状は、図示した例に限られるものではない。例えば、３つの点Ａ、点Ｂ、及び、点Ｃの近傍は再帰反射率が低下するため、点Ａ、点Ｂ、及び、点Ｃの近傍をカットした形状であってもよい。
【００４８】
図８は、図６に示したＡ−Ｂ線で切断した反射素子２０の構造を示す断面図である。
【００４９】
図示したように、金属薄膜２２の表面に形成される再帰反射面２０Ａは、図中の破線で示した水平面（第３方向Ｄ３及び第４方向Ｄ４によって規定される平面と平行な面）Ｈに対して窪んでいる。再帰反射面２０Ａは、図６で図示した中心Ｏに相当する底部２０Ｌと、水平面Ｈに位置する頂部２０Ｈと、を有している。水平面Ｈと再帰反射面２０Ａとで形成される断面は、底部２０Ｌと頂部２０Ｈとを結び底部２０Ｌを直角とする直角三角形であり、水平面Ｈが斜辺に相当する。直角以外に形成される２つの鋭角のうち、一方の角度θαは約５４．７°である。
【００５０】
一例では、表示パネルＰＮＬにおける画素のピッチＰ１が２００μｍである場合、反射素子２０における再帰反射体のピッチＰ２は１８０μｍであり、ピッチＰ２はピッチＰ１よりも小さい。また、再帰反射面２０Ａは、水平面Ｈの法線方向に相当する第５方向Ｄ５に沿って深さｄを有している。一例では、深さｄは７３．５μｍである。なお、金属薄膜２２の膜厚ｔは１５０ｎｍであり、深さｄと比べて十分に小さい。このため、金属薄膜２２が形成された際に、再帰反射面２０Ａを象った基材２１の表面が金属薄膜２２によって埋まる、あるいは、再帰反射面２０Ａを崩すことはない。
【００５１】
図９は、図６に示したＣ−Ｄ線で切断した反射素子２０の構造を示す断面図である。
【００５２】
正反射面２０Ｂは、水平面Ｈと平行に形成される。図示した例では、正反射面２０Ｂは、再帰反射面２０Ａの頂部２０Ｈ同士を結ぶ平面に形成され、水平面Ｈに位置している。基材２１の正反射面２０Ｂに対応する領域の表面は、例えば、研磨によって平坦化されており、一様な膜厚ｔの金属薄膜２２が配置されている。また、金属薄膜２２の膜厚ｔは、正反射面２０Ｂと再帰反射面２０Ａとで同等であってもよい。この様な構成では、金属薄膜２２は、再帰反射面２０Ａ、及び正反射面２０Ｂに対応する領域に一括で形成されることができる。
【００５３】
一例では、再帰反射体２３のピッチＰ２が１００μｍ〜１５０μｍである場合、正反射面２０ＢのピッチＰ３は、２００μｍ〜４００μｍであり、ピッチＰ２よりも大きい。また、ピッチＰ３は、ピッチＰ１よりも小さくてもよく、ピッチＰ１以上であってもよい。
なお、図６乃至図９において、反射素子２０の構造について説明したが、反射素子３０も、反射素子２０と実質的に同じ構造を有している。このため、反射素子３０の構造の詳細な説明は省略する。
【００５４】
図１０は、表示装置１を構成する各構成の機能を説明するための図である。
まず、表示部ＤＳＰにおいて、表示パネルＰＮＬは、表示画像Ｉ０の表示光Ｌ１及びＬ２に相当する第１直線偏光を出射する。ここでの第１直線偏光は、偏光素子ＰＬの透過軸と平行な偏光面を有するものであって、偏光素子ＰＬを透過する直線偏光に相当する。この第１直線偏光は、位相差板ＲＢを透過し、第１円偏光に変換される。ここでの第１円偏光とは、光の進行方向と対向する方向から見て右回りに回転する軌跡を描くものである。これにより、表示部ＤＳＰは、第１円偏光である表示光を出射する。
【００５５】
続いて、第１円偏光である表示光Ｌ１及びＬ２は、位相差板ＲＡを透過し、第２直線偏光に変換される。ここでの第２直線偏光は、偏光素子ＰＬの透過軸に垂直な偏光面を有するものである。この第２直線偏光は、偏光素子ＰＬによって反射された後、再び、位相差板ＲＡを透過し、第２円偏光に変換される。ここでの第２円偏光とは、光の進行方向と対向する方向から見て左回りに回転する軌跡を描くものであり、第２円偏光は、第１円偏光とは逆回りの円偏光である
【００５６】
続いて、第２円偏光の表示光Ｌ１は、反射素子２０の正反射面２０Ｂによって反射される。正反射面２０Ｂで反射された第２円偏光は、反射素子３０の再帰反射面３０Ａで再帰反射される。この第２円偏光は、再び正反射面２０Ｂで反射さる。この第２円偏光は、位相差板ＲＡを透過して第１直線偏光に変換される。その後、第１直線偏光である表示光Ｌ１は、偏光素子ＰＬを透過し、表示画像Ｉ１として結像される。
【００５７】
一方、表示部ＤＳＰから出射された表示光Ｌ２は、偏光素子ＰＬで反射され位相差板ＲＡで第２円偏光に変換された後、反射素子２０の再帰反射面２０Ａで再帰反射される。この第２円偏光は、位相差板ＲＡを透過して第１直線偏光に変換される。その後、第１直線偏光である表示光Ｌ１は、偏光素子ＰＬを透過し、表示画像Ｉ１として結像される。観察者は、表示光Ｌ１およびＬ２によって空中に結像された表示画像Ｉ１を観察することができる。
【００５８】
第１の実施形態によれば、表示装置１は、再帰反射面２０Ａおよび正反射面２０Ｂを有する反射素子２０と、再帰反射面３０Ａを有する反射素子３０を備えている。このため、反射素子２０の再帰反射面２０Ａに挟まれた再帰反射性を有しない領域に入射した表示光Ｌ１であっても、正反射面２０Ｂで反射され再帰反射面３０Ａで再帰反射されることで、表示画像Ｉ１の結像に寄与することができる。これによって、表示装置１は、再帰反射面２０Ａが不連続に形成された反射素子２０を備えていたとしても、表示画像Ｉ１の不連続性を低減し、表示品位の劣化を抑制するこができる。例えば、金型成型で基材２１の凹凸を形成する際に各金型の境界に対応する領域に凹凸が形成されなかった場合や、複数枚のシートを繋ぎ合わせて反射素子２０を作成した際の繋ぎ目に凹凸が形成されなかった場合であっても、それらの領域に正反射面を形成することで、表示画像Ｉ１の表示品位の劣化を抑制することができる。また、大型の金型を用意する場合に比べて安価な小型の金型を複数配列して成型加工したり、金型を順次型押ししたりすることで、反射素子２０を形成することが可能であり、製造コストの抑制が可能である。
【００５９】
また、正反射面２０Ｂが頂部２０Ｈ同士を結ぶ平面に形成されている場合、再帰反射面２０Ａと正反射面２０Ｂとの境界において、再帰反射体２３の構造が崩れず、再帰反射性が低下することを抑制することができる。
【００６０】
一例では、反射素子２０と３０との間の境界部ＢＤ１では、再帰反射面２０Ａと３０Ｂとが互いに隣接している。表示光が境界部ＢＤ１で正反射された場合、その表示光は表示画像Ｉ１の結像に寄与することができないため、この構成によれば、境界部ＢＤ１に入射した表示光であっても、表示画像Ｉ１の結像に寄与することができる。
【００６１】
また、一例では、正反射面２０Ｂおよび３０Ｂは、境界部ＢＤ１に対して直交、又は平行に延在しており、境界部ＢＤ１で互いに隣接している。これにより、正反射面２０Ｂと再帰反射面３０Ａとが隣接し、且つ、再帰反射面２０Ａと正反射面３０Ｂとが隣接する場合に比べて、境界部ＢＤ１における正反射面の割合を低減することができる。
【００６２】
反射素子２０と３０とが互いに連続した基材を備えている場合、反射素子２０及び３０は、単一の反射素子を折り曲げることで形成することができる。この様な表示装置１は、反射素子２０と３０とを個別に形成し配置する場合と比べて、製造プロセスを簡略化し、製造コストを低減することができる。
【００６３】
一例では、光学素子１０は、反射型の偏光素子ＰＬ及び位相差板ＲＡを備えている。このため、表示装置１は、光学素子１０がハーフミラーであった場合に比べて、表示部ＤＳＰから出射された光を効率よく反射素子２０へ反射することができる。したがって、表示装置１は、表示画像Ｉ１を結像するための表示光の利用効率を向上させることができ、鮮明な表示画像Ｉ１を結像することが可能となる。また、表示部ＤＳＰの輝度を抑制することができ、消費電力を抑制することが可能となる。
【００６４】
また、偏光素子ＰＬを介して反射素子２０及び３０に向かう外光は、第１直線偏光に変換された後に、反射素子２０及び３０で反射される前後で、それぞれλ／４板である位相差板ＲＡを透過する。このため、反射素子２０及び３０で反射され偏光素子ＰＬに戻ってきた外光は、第２直線偏光に変換されており、偏光素子ＰＬを透過することができない。つまり、外光によるゴーストの発生を抑制することが可能となる。
【００６５】
なお、上記の構成例によれば、位相差板ＲＡと再帰反射面２０Ａ（又は正反射面２０Ｂ）との間に、他の反射面（光学部材の平坦面や、光学部材間の界面など）が存在しない。また、再帰反射面２０Ａ及び正反射面２０Ｂが金属薄膜によって形成されている場合には、再帰反射面２０Ａ及び正反射面２０Ｂでの光の透過を抑制することができる。つまり、反射素子２０において、再帰反射面２０Ａ及び正反射面２０Ｂとは反対側の裏面２０Ｃでの反射を抑制することができる。また、上記の構成例によれば、正反射面２０Ｂと再帰反射面３０Ａとの間にも、他の反射面が存在しない。また、再帰反射面３０Ａが金属薄膜によって形成されている場合には、再帰反射面３０Ａの裏面３０Ｃでの反射を抑制することができる。したがって、ゴーストの発生を抑制することができ、再帰反射された表示光が結像することで観察される表示画像Ｉ１の表示品位の劣化を抑制することが可能となる。
【００６６】
次に、第１の実施形態の変形例について説明する。なお、上記の構成例と同一の構成については同一の参照符号を付して詳細な説明を省略する。また、このような変形例においても、上記したのと同様の効果が得られる。
【００６７】
図１１は、図３に示した反射素子２０及び３０の一変形例を示す図である。  
本変形例は、境界部ＢＤ１で、正反射面２０Ｂが再帰反射面３０Ａと隣接し、正反射面３０Ｂが再帰反射面２０Ａと隣接している点で、図３に示した構成例と相違している。正反射面２０Ｂ及び３０Ｂは、境界部ＢＤ１で互いに不連続となる様に配置され、第３方向Ｄ３にずれている。
【００６８】
本変形例によれば、表示光の入射面が第４方向Ｄ４及び第５方向Ｄ５によって規定されるＤ４−Ｄ５平面である場合、正反射面２０Ｂ及び３０Ｂが連続して配置された構成に比べて、正反射面２０Ｂで反射された表示光が正反射面３０Ｂに入射することを抑制することができる。正反射面３０Ｂに入射した光は、表示画像Ｉ１の結像に殆ど寄与しないため、表示装置１は、表示光Ｌ２の利用効率を向上させることが可能となる。
【００６９】
図１２は、図３に示した反射素子２０及び３０の一変形例を示す図である。  
本変形例は、正反射面２０Ｂ及び３０Ｂが境界部ＢＤ１に対して斜め方向に延在している点で、図３に示した構成例と相違している。すなわち、正反射面２０Ｂ及び３０Ｂは、Ｄ４−Ｄ５平面に連続で形成されていない。
【００７０】
本変形例によれば、反射素子２０及び３０を単一の反射素子から簡便に形成可能であり、且つ、Ｄ４−Ｄ５平面が入射面となる表示光の利用効率を向上させることが可能となる。
【００７１】
図１３は、図９に示した反射素子２０の構造の一変形例を示す断面図である。  
本変形例は、正反射面２０Ｂが水平面Ｈより上方に位置する点で、図９に図示した構成例と相違している。
【００７２】
図示した例では、反射素子２０は、再帰反射面２０Ａに挟まれた不規則な凹凸面２０Ｄを有している。基材２１は、頂部２０Ｈに挟まれた領域に不規則な凹凸面２１Ｄを有しており、凹凸面２１Ｄにも均一に金属薄膜２２が配置され、凹凸面２０Ｄが形成されている。図示した例では、凹凸面２０Ｄは、水平面Ｈよりも上（裏面２０Ｃから離れる方向）に位置しているが、特に限定されるものではなく、水平面Ｈよりも下（裏面２０Ｃに近づく方向）に位置していてもよい。
【００７３】
反射素子２０は、さらに、オーバーコート層２４、及び反射層２５を備えている。オーバーコート層２４は、基材２１の上方に位置している。図示した例では、オーバーコート層２４は、金属薄膜２２を覆っている。このため、表示装置１は、金属薄膜２２の損傷を抑制し、損傷個所での乱反射による再帰反射率の低下を抑制することができる。
【００７４】
図示した例では、オーバーコート層２４は、再帰反射面２０Ａに対向する領域において、基材２１と対向する側とは反対側（上面２４Ａ）で、空気層と接している。オーバーコート層２４は、透明性を有していれば特に限定されるものではないが、上面２４Ａでの反射に起因したゴーストの発生を抑制する観点から、屈折率が１に近いことが望ましい。また、上面２４Ａにおける乱反射に起因したゴーストの発生を抑制する観点から、上面２４Ａは平坦であることが望ましい。オーバーコート層２４は、例えば透明性を有する樹脂材料を用いてウェットプロセスによって形成される。
【００７５】
反射層２５は、オーバーコート層２４の上方に位置している。反射層２５は、基材２１と対向する側とは反対側の面に、正反射面２０Ｂを有している。反射層２５は、例えば、光反射特性を有する金属で形成されており、一例では、金属薄膜２２と同じ材料で形成されている。図示した例では、反射層２５は、絶縁性の層間膜２６を介してオーバーコート層２４に接着されているが、例えば蒸着等によってオーバーコート層２４の上に直接形成されていてもよい。
【００７６】
正反射面２０ＢのピッチＰ３は、反射層２５の第４方向Ｄ４の幅に相当する。ピッチＰ４は、凹凸面２０Ｄの第４方向Ｄ４の幅に相当する。図示した例では、ピッチＰ３は、ピッチＰ４よりも大きい。また、反射層２５は、凹凸面２０Ｄの全体に亘って対向し、凹凸面２０Ｄに対向する領域の外側に延出して再帰反射面２０Ａの一部と対向している。これにより、表示光がオーバーコート層２４に対して斜めに入射して凹凸面２０Ｄに乱反射されることを抑制することができる。
【００７７】
本変形例によれば、凹凸面２１Ｄを研磨プロセス等によって平坦化することなく、正反射面２０Ｂを形成することができる。このため、製造工程における粉塵等の異物の発生を抑制することができる。
【００７８】
なお、反射素子２０は、金属薄膜２２が配置されておらず基材２１の上に直接オーバーコート層２４が配置されていてもよい。この場合、再帰反射面２０Ａは、基材２１とオーバーコート層２４との間の界面に相当する。このような構成においては、再帰反射面２０Ａの再帰反射率を向上させるために、オーバーコート層２４の屈折率が基材２１の屈折率と大きく異なっていることが望ましい。
【００７９】
図１４は、図９に示した反射素子２０の構造の一変形例を示す断面図である。  
本変形例は、オーバーコート層２４を備えていない点で、図１３に図示した変形例と相違している。すなわち、凹凸面２０Ｄの上に層間膜２６が配置されている。
【００８０】
層間膜２６は、導電性を有していてもよく、これにより反射層２５と金属薄膜２２とを同電位に保つことができる。また、層間膜２６は、光吸収性を有していてもよく、これにより層間膜２６の側面２６Ａに入射した表示光の乱反射を抑制することが可能となる。
【００８１】
本変形によれば、図１３に図示した変形例と同様に、基材２１の凹凸面２１Ｄを平坦化することなく正反射面２０Ｂを形成することが可能であり、且つ、オーバーコート層２４に起因したゴーストの発生を抑制することが可能となる。
【００８２】
なお、反射素子２０は、基材２１の上に層間膜２６を配置し、基材２１及び層間膜２６の上に均一に金属薄膜を形成してもよい。この様な構成の場合、金属薄膜２２と反射層２５とは、連続しており、側面２６Ａも金属薄膜２２で覆われている。この様な構成においては、側面２６Ａに向かう表示光は、側面２６Ａを覆う金属薄膜に反射されて、再帰反射面２０Ａ又は３０Ａに入射し、再び側面２６Ａで反射されて光学素子１０を透過し、結像に寄与する。これにより、表示光の利用効率を向上させることが可能となる。
【００８３】
図１５は、図１に示した表示装置１の一変形例を示す図である。  
本変形例は、反射素子２０が湾曲している点で、図１に図示した構成例と相違している。なお、本図で図示した表示装置１は、表示部ＤＳＰ、反射素子２０、及び３０を、第３方向Ｄ３の光学素子１０の位置する側から観察した構成である。但し、光学素子１０は図示を省略している。第３方向Ｄ３は、第１方向Ｄ１及び第２方向Ｄ２と交差する方向であり、図示した例では、第１方向Ｄ１及び第２方向Ｄ２と直交している。
【００８４】
反射素子３０は、端部３０ａ，３０ｂ，３０ｃ，及び３０ｄを有している。端部３０ｂは、端部３０ａと第１方向Ｄ１で対向し、端部３０ｄは、端部３０ｃと第３方向Ｄ３で対向している。図示した例では、端部３０ｂは、その両端が端部３０ａの方向に曲がった円弧状をしており、端部３０ｃ及び３０ｄは第１方向Ｄ１に延在する直線状をしている。すなわち、反射素子３０は、馬蹄形状である。但し、反射素子３０の形状は、特に限定されるものではなく、半円状や扇状であってもよい。反射素子２０は、端部３０ｂ乃至３０ｄに沿って連続しており、第１方向Ｄ１で表示部ＤＳＰと対向すると共に、第３方向Ｄ３で反射素子２０自身と対向している。
【００８５】
本変形においては、端部３０ｃ及び３０ｄにも反射素子２０が配置されているため、端部３０ｃ及び３０ｄの方向へ出射された表示光も、表示画像Ｉ１の結像に寄与することができる。また、端部３０ｂから３０ｃ、及び端部３０ｂから３０ｄに沿って反射素子２０が連続して配置されているため、反射素子の境界による再帰反射率の低下を抑制することが可能となる。
【００８６】
図１６は、図１に示した表示装置１の一変形例を示す図である。  
本変形例は、反射素子３０が長方形状であり、さらに、反射素子４０及び５０を備えている点で、図１５に図示した変形例と相違している。
【００８７】
図示した例では、端部３０ａ及び３０ｂは、第３方向Ｄ３に延在する直線状であり第１方向Ｄ１で対向している。また、端部３０ｃ及び３０ｄは、第１方向Ｄ１に延在する直線状であり、第３方向Ｄ３で対向している。反射素子２０は端部３０ｂに配置され、反射素子４０は端部３０ｃに配置され、反射素子５０は端部３０ｄに配置されている。反射素子４０及び５０は、反射素子２０と同様の構成を備えており、再帰反射面と正反射面を有している。
【００８８】
本変形例によれば、図１５で説明したのと同様の効果を得ることができる。また、本変形例によれば、反射素子２０乃至５０を立方体形状の筐体内部に効率よく配置することができ、表示装置１を小型化することができる。
【００８９】
なお、反射素子２０と４０との間の境界部ＢＤ２は、正反射面ＢＤ２Ｂを有していることが望ましい。また、反射素子２０と５０との間の境界部ＢＤ３は、正反射面ＢＤ３Ｂを有していることが望ましい。この様な構成によれば、各反射素子の反射面において再帰反射性の低下する境界部ＢＤ２及びＢＤ３近傍に入射する表示光であっても、表示画像Ｉ１の結像に寄与することができる。
【００９０】
次に、第２の実施形態について説明する。
【００９１】
図１７は、第２の実施形態に係る表示装置１の一構成例、及び表示光Ｌ１の光路を示す図である。  
光学素子１０は、入射光の一部を透過及び反射させるビームスプリッタＨＭを備えている。反射素子２０が光学素子１０に対して成す角度θ１は、鋭角である。また、表示装置１は、反射素子３０を備えていない。その他の構成については、第１の実施形態と同様であるため、詳細な説明は省略する。なお、図示した例では、表示部ＤＳＰは、表示パネルＰＮＬの光学素子１０と対向する側に位相差板を有していないが、位相差板ＲＢを有していてもよい。
【００９２】
ビームスプリッタＨＭは、例えばハーフミラーである。反射素子２０は、第１方向Ｄ１で表示部ＤＳＰと対向し、第２方向Ｄ２で光学素子１０と対向している。角度θ１は、反射素子２０の裏面２０Ｃと、ビームスプリッタＨＭの表面とが成す角度に相当する。
【００９３】
次に、表示光ｌ１の光路について説明する。表示画像Ｉ０を表示する表示光Ｌ１は、表示部ＤＳＰから出射され、光学素子１０に入射する。表示光Ｌ１は、光学素子１０で反射され、正反射面２０Ｂに入射する。正反射面２０Ｂで反射された表示光Ｌ１は、光学素子１０で反射され、再帰反射面２０Ａに入射する。表示光Ｌ１は、再帰反射面２０Ａで再帰反射され、再び、光学素子１０で反射され、正反射面２０Ｂで反射される。その後、表示光Ｌ１は、光学素子１０を透過して、表示画像Ｉ１を結像する。
【００９４】
図１８は、図１７に示した表示装置１における表示光Ｌ２の光路を示す図である。  
ここでは、表示光Ｌ１とは異なる方向に出射された表示光Ｌ２の光路を説明する。
【００９５】
表示光Ｌ２は、表示部ＤＳＰから出射され、光学素子１０に入射する。表示光Ｌ２は、光学素子１０で反射され、再帰反射面２０Ａに入射する。表示光Ｌ２は、再帰反射面２０Ａで再帰反射された後、光学素子１０を透過して、表示画像Ｉ１を結像する。
【００９６】
表示光は、上記で説明した様な挙動を取るため、角度θ１は、正反射面２０Ｂで反射された表示光の少なくとも一部が光学素子１０に入射する角度である。さらには、角度θ１は、正反射面２０Ｂで反射された表示光の少なくとも一部が、光学素子１０で反射された後に、再帰反射面２０Ａに入射する角度である。表示画像Ｉ１の結像に寄与する表示光の割合を向上される観点から、角度θ１は、０°より大きく、９０°より小さいことが望ましい。角度θ１は、一例では、４５°以下である。  
第２の実施形態によれば、第１の実施形態と同様の効果を得ることができる。
【００９７】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００９８】
本明細書にて開示した構成から得られる表示装置の一例を以下に付記する。
（１）
入射光を透過又は反射させる光学素子と、
前記光学素子で反射された反射光を再帰反射する凹凸状の第１再帰反射面と、前記光学素子で反射された反射光を正反射する第１正反射面と、を有する第１反射素子と、
前記第１正反射面で反射された反射光を再帰反射する凹凸状の第２再帰反射面を有する第２反射素子と、を備えている表示装置。
（２）
前記光学素子は、
第１直線偏光を透過する透過軸を有し、前記透過軸に直交する第２直線偏光を反射する偏光素子と、
前記偏光素子に対向し、透過光に位相差を付与する位相差板と、を備えている、（１）に記載の表示装置。
（３）
さらに、第１円偏光である第１表示光及び第２表示光を出射する表示部を備え、
前記第１表示光は、前記位相差板を透過した際に前記第２直線偏光に変換され、前記偏光素子で反射され、前記位相差板を透過する際に前記第１円偏光とは逆回りの第２円偏光に変換され、前記第１正反射面で反射され、前記第２再帰反射面で反射され、前記第１正反射面で反射され、前記位相差板を透過する際に前記第１直線方向に変換された後に、前記偏光素子を透過し、
前記第２表示光は、前記位相差板を透過する際に前記第２直線偏光に変換され、前記偏光素子で反射され、前記位相差板を透過する際に前記第２円偏光に変換され、前記第１再帰反射面で反射され、前記位相差板を透過する際に前記第１直線方向に変換された後に、前記偏光素子を透過する、（２）に記載の表示装置。
（４）
前記第１再帰反射面、及び前記第１正反射面は、金属薄膜を備えている、（１）乃至（３）のいずれか１項に記載の表示装置。
（５）
前記第１正反射面は、前記第１再帰反射面の頂部同士を結ぶ平面に形成されている、（１）乃至（４）のいずれか１項に記載の表示装置。
（６）
前記第１正反射面は、格子状に配置されている、（１）乃至（５）のいずれか１項に記載の表示装置。
（７）
入射光の一部を透過及び反射させる光学素子と、
前記光学素子で反射された反射光を再帰反射する凹凸状の再帰反射面と、前記光学素子で反射された反射光を正反射する正反射面と、を有する反射素子と、を備え、
前記反射素子が前記光学素子に対して成す角度は、鋭角である表示装置。
（８）
前記第２反射素子は、さらに第２正反射面を有し、
前記第１正反射面は、前記第１反射素子と前記第２反射素子とが互いに隣接する境界部で前記第２再帰反射面と隣接し、
前記第２正反射面は、前記境界部で前記第１再帰反射面と隣接している、（１）乃至（６）のいずれか１項に記載の表示装置。
（９）
前記第１正反射面は、前記第１反射素子と前記第２反射素子との境界部に対して直交又は平行に延在している、（１）乃至（６）及び（８）のいずれか１項に記載の表示装置。
（１０）
前記第１正反射面は、前記第１反射素子と前記第２反射素子との境界部に対して斜め方向に延在している、（１）乃至（６）及び（８）又は（９）のいずれか１つに記載の表示装置。
（１１）
前記第１反射素子と前記第２反射素子とは、互いに連続した基材を備えている、（１）乃至（６）及び（８）乃至（１０）のいずれか１項に記載の表示装置。
（１２）
前記第１反射素子は、湾曲している、（１）乃至（６）及び（８）乃至（１１）のいずれか１項に記載の表示装置。
（１３）
さらに、表示光を出射する表示部と、
入射光を再帰反射する第３再帰反射面を有する第３反射素子と、
入射光を再帰反射する第４再帰反射面を有する第４反射素子と、を備え、
前記表示部は、前記第２反射素子の第１端部に配置され、
前記第１反射素子は、前記第２反射素子の前記第１端部に対向する第２端部に配置され、
前記第３反射素子は、前記第２反射素子の前記第１端部と交差する方向に延在する第３端部に配置され、
前記第４反射素子は、前記第２反射素子の前記第３端部に対向する第４端部に配置されている、（１）乃至（６）及び（８）乃至（１２）のいずれか１項に記載の表示装置。
（１４）
前記第１反射素子は、前記第２反射素子に対して４５°以上１３５°以下の成す角度で配置されている、（１）乃至（６）及び（８）乃至（１３）のいずれか１つに記載の表示装置。
（１５）
前記第１反射素子は、前記光学素子に対して４５°以上１３５°以下の成す角度で配置されている、（１）乃至（６）及び（８）乃至（１４）のいずれか１つに記載の表示装置。
（１６）
さらに、第１表示光及び第２表示光を出射する表示部を備え、
前記第１表示光は、前記光学素子で反射され、前記正反射面で反射され、前記光学素子で反射され、前記再帰反射面で反射され、前記光学素子で反射され、前記正反射面で反射された後、前記光学素子を透過し、
前記第２表示光は、前記光学素子で反射され、前記再帰反射面で反射された後、前記光学素子を透過する、（７）に記載の表示装置。
（１７）
前記再帰反射面、及び前記正反射面は、金属薄膜を備えている、（７）又は（１６）に記載の表示装置。
（１８）
前記正反射面は、前記再帰反射面の頂部同士を結ぶ平面に配置されている、（７）又は（１６）又は（１７）のいずれか１項に記載の表示装置。
（１９）
前記正反射面は、前記反射素子に格子状に配置されている、（７）又は（１６）乃至（１８）のいずれか１項に記載の表示装置。
（２０）
前記反射素子は、第１方向で前記光学素子と対向し、前記第１方向と交差する第２方向で前記表示部と対向している、（７）又は（１６）乃至（１９）のいずれか１項に記載の表示装置。
【符号の説明】
【００９９】
１…表示装置  ＤＳＰ…表示部  ＰＮＬ…表示パネル  １０…光学素子  
ＰＬ…偏光素子  ＲＡ，ＲＢ…位相差板  ２０，３０…反射素子  
２０Ａ，３０Ａ…再帰反射面  ２０Ｂ…正反射面  ２０Ｃ，３０Ｃ…裏面  
２１，３１…基材  ２２，３２…金属薄膜  θ１，θ２…角度  
Ｌ１，Ｌ２…表示光  Ｉ０，Ｉ１…表示画像  
【図１】
2017151214.tif 000003
【図２】
2017151214.tif 000004
【図３】
2017151214.tif 000005
【図４】
2017151214.tif 000006
【図５】
2017151214.tif 000007
【図６】
2017151214.tif 000008
【図７】
2017151214.tif 000009
【図８】
2017151214.tif 000010
【図９】
2017151214.tif 000011
【図１０】
2017151214.tif 000012
【図１１】
2017151214.tif 000013
【図１２】
2017151214.tif 000014
【図１３】
2017151214.tif 000015
【図１４】
2017151214.tif 000016
【図１５】
2017151214.tif 000017
【図１６】
2017151214.tif 000018
【図１７】
2017151214.tif 000019
【図１８】
2017151214.tif 000020